(57)【要約】【課題】本発明の目的は、内容物の充填適性に優れ、しかも、包装袋に内容物を密封包装しやすい包装袋、及びこの包装袋に内容物を充填・密封包装後、電子レンジで加熱することにより自動的に内圧を低下させることが可能な電子レンジ加熱用包装体を提供することである。【解決手段】少なくとも片面がシーラント層から構成される複合フィルムを用いて、当該複合フィルムの左右両側を、当該シーラント層が内側になるように折り返して、内側に折り襞状の折り返し部を有するガセット部を形成した包装袋であって、前記ガセット部に蒸気抜き手段を形成することにより解決した。【選択図】図３
2011011755.tif 000002
【特許請求の範囲】
【請求項１】
少なくとも片面がシーラント層から構成される複合フィルムを用いて、当該複合フィルムの左右両側を、当該シーラント層が内側になるように折り返して、内側に折り襞状の折り返し部を有するガセット部を形成し、前記ガセット部に蒸気抜き手段を形成した電子レンジ加熱用包装袋。
【請求項２】
前記ガゼット部は、折り返し部の長さが異なることを特徴とする請求項１に記載の電子レンジ加熱用包装袋。
【請求項３】
前記の蒸気抜き手段が、長い折り返し部に設けたことを特徴とする請求項２に記載の電子レンジ加熱用包装袋。
【請求項４】
前記の蒸気抜き手段は、左右両側のガゼット部に形成されていることを特徴とする請求項１〜３のいずれかに記載の電子レンジ加熱用包装袋。
【請求項５】
請求項１〜４のいずれかに記載の包装袋に内容物を充填・密封したことを特徴とする電子レンジ加熱用包装体。
【発明の詳細な説明】
【技術分野】
【０００１】
本発明は、輸送や保管をするときに加わる圧力や衝撃によって剥離することなく、また、電子レンジで加熱するときに内容物を包装して袋を自立させた状態で、破裂を起こさず、自動的に内圧を低下させることができる電子レンジ加熱用包装袋及び電子レンジ加熱用包装体に関するものである。
詳しくは、大きな固形物を密封包装できる、内容物の充填適性に優れ、速やかに蒸気が排出され、安全に加熱調理でき、電子レンジから取り出しい電子レンジ加熱用包装袋及び電子レンジ加熱用包装体に関するものである。
【背景技術】
【０００２】
近年、電子レンジの普及発展に伴い、また、調理の簡便化の要請から、調理用食品、または調理済み加工食品を、プラスチック製の包装袋等に包装し、密封して、保存性を持たせた形態で流通されている。
【０００３】
しかしながら、こうした食品を電子レンジで加熱する場合において、前記包装袋が、密封したままであると、加熱により内容物から発生する水蒸気により袋内の内圧が上昇し、ついには破裂し、内容物が電子レンジ庫内に飛散してしまうことが多かった。
【０００４】
このような加熱による包装袋の破裂を防止した包装袋として、例えば、周囲のシール部の一部を、他のシール部よりシール強度を小さくしておき、電子レンジで加熱と、このシール強度が小さいシール部から蒸気を排出可能として電子レンジ用包装袋が提案されている（特許文献１参照）。
また、両側の側面フィルムを折り込みがあるガゼット包装袋で、背面に背シール部を有する包装袋で、前記背シール部を弱シール部とし、電子レンジで加熱し、前記包装袋内が所定圧力以上になると、前記背シール部が剥離して通気孔が形成され、排気可能とした電子レンジ用包装袋が提案されている（特許文献２参照）。
また、ガゼット包装袋で、頂部シール部に連続するシール部で囲まれた部分に蒸気抜き手段を有し電子レンジで加熱し、前記包装袋内が所定圧力以上になった時に、前記蒸気抜き手段から排気可能とした電子レンジ用包装袋が提案されている（特許文献３参照）。
【先行技術文献】
【特許文献】
【０００５】
【特許文献１】特開平１０−５９４３３号公報
【特許文献２】特開平１０−９５４７３号公報
【特許文献３】特開２００５−３２４８４６号公報
【発明の概要】
【発明が解決しようとする課題】
【０００６】
しかしながら、特許文献１の包装袋には、電子レンジで加熱する前に、予め包装袋の一部をはさみで排気用の通気口を形成しておく必要があり、面倒であった。
また、特許文献２の包装袋には、剥離しやすくするように弱いシール強度のシール部分を有するため、流通過程において圧力や衝撃によって、弱いシール部分から内容物が洩れるという欠点がある。
また、特許文献３の包装袋では、底部が広がり、頂部は広がらない形態で、前記頂部のシール部連続するシール部で囲まれた部分に蒸気抜き手段を有しするため、前記蒸気抜き手段を設ける位置が特定されてしまっていた。
【０００７】
本発明の目的は、輸送や保管をするときに加わる圧力や衝撃によってシール部が剥離することなく、固体、粉体等のほか、液体、流動性の内容物の充填適性に優れ、しかも、包装袋に内容物を密封包装しやすい包装袋、及びこの包装袋に内容物を充填・密封包装後、電子レンジで加熱することにより自動的に内圧を低下させることが可能な蒸気抜き手段により、内容物の内容物がこぼれることなく速やかに蒸気が排出可能な電子レンジ加熱用包装体を提供することである。
【課題を解決するための手段】
【０００８】
請求項１に記載の発明は、上記の課題を解決するもので、少なくとも片面がシーラント層から構成される複合フィルムを用いて、当該複合フィルムの左右両側を、当該シーラント層が内側になるように折り返して、内側に折り襞状の折り返し部を有するガセット部を形成し、前記ガセット部に蒸気抜き手段を形成した電子レンジ加熱用包装袋である。
【０００９】
また、請求項２に記載の発明は、前記ガゼット部は、折り返し部の長さが異なることを特徴とする電子レンジ加熱用包装袋である。
【００１０】
また、請求項３に記載の発明は、前記の蒸気抜き手段が、長い折り返し部に設けたことを特徴とする電子レンジ加熱用包装袋前である。
【００１１】
また、請求項４に記載の発明は、前記の蒸気抜き手段は、左右両側のガゼット部に形成されていることを特徴とする請求項１〜３のいずれかに記載の電子レンジ加熱用包装袋である。
【００１２】
また、請求項５に記載の発明は、前記包装袋に内容物を充填・密封したことを特徴とする電子レンジ加熱用包装体である。
【発明の効果】
【００１３】
本発明の電子レンジ加熱用包装袋においては、左右両側に、内側に折り襞状の折り返し部を有するガセット部を有するので、内容物を充填しやすく、また、弱い密封シール部がないので、輸送や保管をするときに加わる圧力や衝撃によって剥離することなく、また、電子レンジで加熱した際、ガゼット部が広がった状態で、速やかに蒸気が排出され、自動的に内圧を低下させることができる。
【００１４】
また、前記ガゼット部は、折り返し部の長さが異なるようにすることで、電子レンジで加熱した際、確実に開き、ガゼット部が広がった状態で、蒸気抜き手段から速やかに蒸気が排出することができる。
また、前記蒸気抜き手段を、長い折り返し部に設けることにより、より外側の位置に形成できるので、前記蒸気抜き手段から、より速やかに蒸気が排出することができる。
【図面の簡単な説明】
【００１５】
【図１】本発明の電子レンジ加熱用包装袋の積層フィルムの例を示すもので、（ａ）包装袋を形成する積層フィルムの断面図、（ｂ）他の態様の積層フィルムの断面図である。
【図２】本発明の電子レンジ加熱用包装袋の一例の構成を示す図で、（ａ）包装袋を１枚の包装材料から形成する場合の説明図、（ｂ）包装袋のガゼット部の構成を示す説明図、（ｃ）包装袋のガゼット部の設ける蒸気排出部を示す説明図である。
【図３】本発明の電子レンジ加熱用包装袋の他の態様を示す説明図である。
【図４】本発明の電子レンジ加熱用包装袋を用いた包装体の一例を示す説明図である。
【図５】図４の包装体を電子レンジで加熱した状態を示す説明図である。
【図６】本発明の電子レンジ加熱用包装袋の他の態様を示す説明図である。
【発明を実施するための形態】
【００１６】
先ず、本発明の電子レンジ加熱用包装袋は、図１（ａ）に示すように、少なくとも基材フィルム層１１にシーラント層１５を積層した積層フィルム１６が用いられる。そして、必要に応じて、印刷層１２と接着層１３を設けてもよい。
また、図１（ｂ）に示すように、上記の基材フィルム層１１とシーラント層１５との間に、水蒸気その他のガスバリヤー層や、遮光層、強度向上層などの中間層１４を積層した構成とすることもできる。
【００１７】
また、本発明の電子レンジ加熱用包装袋１は、図２（ａ）に示すように、１枚の材料から形成する場合、最内層にシーラント層が積層された積層フィルムの左右両側を、そのシーラント層が内側になるように折り返して、内側に折り襞状の折り返し部２０ａ、２０ｂを有するガセット部２１、２１を形成し、折り返された両側の積層フィルムの端部同士を中央部で重ね合わせて、折り畳まれた袋本体を形成する。
そして、図２（ｂ）に示すように、前記ガセット部２１の折り返し部２０ａ、２０ｂの一方に、蒸気抜き手段２３が形成されている。
この蒸気抜き手段２３は、図２（ｃ）に示すように、対向する積層フィルムのシーラント層同士をシールして、３方シール部２４を形成し、前記３方シール部２４で囲まれた未シール部２５に、蒸気排出部２６を設けてなる。
ここで、前記３方シール部２４は、１つのシール部２４ａが他のシール２４ｂ部より、シール幅が狭く、他のシール部２４より剥離強度を小さい状態としたものである。
また、前記蒸気排出部２６は、孔や切欠を少なくとも一つ設けたもので、前記剥離したシール部２４ａを通過した蒸気を排出可能としたものである。
【００１８】
また、本発明にかかる電子レンジ加熱用包装袋２は、図３に示すように、両側のガセット部２０を構成する折り返し部２１ａと折り返し部２１ｂの長さを異なる長さ、具体的には、前記折り返し部２１ａを、折り返し部２１ｂより長いで、前記長い折り返し部２１ａに、前記蒸気排出部２６を設けた電子レンジ加熱用包装袋である。
【００１９】
そして、図４に示すように、電子レンジ加熱用包装体１００は、前記電子レンジ加熱用包装袋２に内容物２００を充填し、周囲にシール部を形成し、密封したものである。
この包装体１００を、図５（ａ）に示すように電子レンジ内に、長い折り返し部２１ａが上方となるように置き、加熱する。
電子レンジで加熱し蒸気が発生して内圧が高くなると、図５（ｂ）に示すように、袋本体が膨張し、前記長い折り返し部２１ａに設けた幅の狭いシール部２４ａが剥離し、蒸気排出部２６から蒸気が排出される。
このことによって、電子レンジによる加熱に際して、予め鋏等で袋に切込み等を入れなくとも、蒸気排出部２６から速やかに安定して蒸気が抜け、容易で安全に加熱することができる。
【００２０】
前述の電子レンジ加熱用包装袋は、１枚の包装材料から形成する場合について説明したが、図６に示すように、図１に示した積層フィルムから構成される、前面フィルム６１、後面フィルム６２、この２枚のフィルム間の左右両側に、二つ折りにして折り襞状の折り込み部を形成した折り込みフィルム６２，６２を挿入してガゼット部６３，６３を形成した構成としてもよい。
なお、蒸気排出手段２６は、前記折り込みフィルム６２の、一方の折り込み部に形成すること、また、1方の折り込み部を他方の折り込み部より長くして配置することは、前述と同様である。
【００２１】
次に、蒸気排出部２６は、切込みまたは切欠からなり、前記幅が狭いシール部２４ａが、加熱により発生した蒸気の熱と内圧の上昇によって剥離して、蒸気が袋外に放散することができる形状であればよい。
上記、蒸気排出部２６を構成する切込みまたは切欠を設ける個数は、一個に限定されず、複数個であっても構わない。
【００２２】
本発明にかかる電子レンジ加熱用包装袋は、折り込み部に設けた蒸気排出手段のシール部２４を設けることによって、電子レンジで加熱すると、シール部２４に圧力が集中して、シール部２４の中のシール部２４ａの縁部からシール剥離して、未シール部２４内に形成される蒸気排出部２６を通って、内容物より発生する蒸気が速やかに袋外に排出される。
【００２３】
なお、シール部２４の中のシール部２４ａのシール幅は、２ｍｍ〜５ｍｍ程度が、加熱による内圧で円滑に剥離することができるため好ましい。
【００２４】
次に、図１、図２に示す、本発明の電子レンジ加熱用包装袋を形成する積層フィルム１６の構成材料について説明する。
まず、基材フィルム層１１は、耐熱性を有し、一般に電子レンジで加熱または加熱調理される食品用包材として使用されているものならば、特に限定されるものではない。
具体的には、延伸ポリエチレンテレフタレートフィルム、延伸ナイロンフィルム、延伸ポリプロピレンフィルム、及び前記延伸フィルムに、シリカ蒸着層、アルミナ蒸着層、ポリビニルアルコールコート層を設けた複合フィルムを用いることができる。
【００２５】
また、シーラント層１５は、熱接着性樹脂層で、電子レンジで加熱または加熱調理される食品用包材として使用されるものであればよい。
具体的には、低密度ポリエチレン、直鎖状低密度ポリエチレン、ポリプロピレン、プロピレン−エチレン共重合体、エチレン−酢酸ビニル共重合体、エチレンーアクリル酸共重合体、エチレン−メタクリル酸共重合体、エチレン−メチルアクリレート共重合体、エチレン−エチルアクリレート共重合体、エチレン−メチルメタクリレート共重合体またはアイオノマー等樹脂を使用できる。
なお、シーラント層の厚さは、２０μｍ〜１００μｍ程度が好ましい。
【００２６】
次に、基材フィルム層１１とシーラント層１５との積層は、接着層１３を介して積層される。
前記接着層１３に用いる接着剤としては、例えば、１液、あるいは２液型の硬化型のポリエステル系、ポリエーテル系、ポリウレタン系、エポキシ系、その他等の溶剤型、水性型、あるいは、エマルジョン型接着剤を使用することができる。
【００２７】
さらに、前記の基材フィルム層１１と前記のシーラント層１５の間に設ける中間層１４は、気体遮断性、機械的強靱性、耐屈曲性、耐突き刺し性、耐衝撃性、耐寒性、耐熱性の向上を図るものであり、包装袋として要求される機能を満たすために設けるものである。
前記の中間層１４は、具体的に、ポリエチレンテレフタレート、ポリアミド、ポリエチレン、ポリプロピレン等のポリオレフィン、ポリビニルアルコール、エチレンープロピレン共重合体、エチレンー酢酸ビニル共重合体ケン化物等のフィルム、または前記フィルムに、酸化珪素、酸化アルミニウム等の無機物の蒸着を施したフィルム等のフィルム等を用いることができる。
【００２８】
次に、前記蒸気排出部２６を形成する切込みまたは切欠の形状は、十字形、Ｉ字形、Ｕ字形等の切込みや、円形、三角形、四角形等の切欠から適宜選択すればよい。
【符号の説明】
【００２９】
１、２  電子レンジ加熱用袋
１１   基材フィルム層
１２   印刷層
１３   接着層
１４   中間層
１５   シーラント層
１６   積層フィルム
２０ａ、２０ｂ   折り返し部
２１   ガゼット部
２３   蒸気抜き手段
２４、２４ａ、２４ｂ    シール部
２５   未シール部
２６   蒸気排出部
６１   前面フィルム
６２   後面フィルム
６３   折り込みフィルム
１００   電子レンジ加熱用包装体
【図１】
2011011755.tif 000003
【図２】
2011011755.tif 000004
【図３】
2011011755.tif 000005
【図４】
2011011755.tif 000006
【図５】
2011011755.tif 000007
【図６】
2011011755.tif 000008